(57)【特許請求の範囲】
【請求項１】
電源供給手段によつて供給される商用電源を基に動作し、複数チヤンネルの番組の中から選択された上記番組の選択履歴情報を取得する番組選択履歴情報取得装置において、
上記商用電源が供給されているか否かを検出する商用電源検出手段と、
上記商用電源検出手段によつて上記商用電源の投入開始が検出された場合、ユーザにより既に入力されている視聴者の識別番号をリセツトする制御手段と、
上記制御手段によつて上記識別番号をリセツトした後、上記ユーザからの入力情報に応じて上記識別番号及び上記番組に対する選択結果情報を送信するか否かを設定する設定手段と、
上記設定手段により上記選択結果情報を送信するよう設定されている場合、上記選択結果情報を所定の取得タイミングでメモリに記憶する記憶手段と、
上記設定手段により上記選択結果情報を送信するよう設定されている場合、上記識別番号と、複数の上記取得タイミングごとに記憶された複数の上記選択結果情報とからなる上記選択履歴情報を所定の送信タイミングで自動的に通知先へ送信する送信手段と
を具えることを特徴とする番組選択履歴情報取得装置。
【請求項２】
上記選択結果情報は、上記選択された上記番組のチヤンネルナンバ情報及び当該選択された時刻を表す時刻情報でなる
ことを特徴とする請求項１に記載の番組選択履歴情報取得装置。
【請求項３】
複数チヤンネル分のトランスポートストリームが多重化されて送信されるデータストリームを受信する受信手段と、
上記受信手段によつて受信された上記データストリームから、ユーザによつて選択されたチヤンネルの番組データを分離する分離手段と、
商用電源が供給されているか否かを検出する商用電源検出手段と、
上記商用電源検出手段によつて上記商用電源の投入開始が検出された場合、ユーザにより既に入力されている視聴者の識別番号をリセツトする制御手段と、
上記制御手段によつて上記識別番号をリセツトした後、上記ユーザからの入力情報に応じて上記識別番号及び上記番組データに対する選択結果情報を送信するか否かを設定する設定手段と、
上記設定手段により上記選択結果情報を送信するよう設定されている場合、上記分離手段によつて分離された上記番組データに対する上記選択結果情報を所定の取得タイミングでメモリに記憶する記憶手段と、
上記設定手段により上記選択結果情報を送信するよう設定されている場合、上記識別番号と、複数の上記取得タイミングごとに記憶された複数の上記選択結果情報とからなる選択履歴情報を所定の送信タイミングで自動的に通知先へ送信する送信手段と
を具えることを特徴とする受信装置。
【請求項４】
電源供給手段によつて供給される商用電源を基に動作し、複数チヤンネルの番組の中から選択された上記番組の選択履歴情報を取得する番組選択履歴情報取得方法において、
上記商用電源が供給されているか否かを商用電源検出手段によつて検出する検出ステツプと、
上記商用電源検出ステツプによつて上記商用電源の投入開始が検出された場合、ユーザにより既に入力されている視聴者の識別番号を制御手段によつてリセツトするリセツトステツプと、
上記リセツトステツプによつて上記識別番号をリセツトした後、上記ユーザからの入力情報に応じて上記識別番号及び上記番組に対する選択結果情報を送信するか否かを設定手段により設定する設定ステツプと、
上記設定ステツプにより上記選択結果情報を送信するよう設定されている場合、記憶手段により上記選択結果情報を所定の取得タイミングでメモリに記憶する記憶ステツプと、
上記設定ステツプにより上記選択結果情報を送信するよう設定されている場合、上記識別番号と、複数の上記取得タイミングごとに記憶された複数の上記選択結果情報とからなる上記選択履歴情報を送信手段により所定の送信タイミングで自動的に通知先へ送信する送信ステツプと
を具えることを特徴とする番組選択履歴情報取得方法。
【請求項５】
複数チヤンネル分のトランスポートストリームが多重化されて送信されるデータストリームを受信手段により受信する受信ステツプと、
上記受信ステツプによつて受信された上記データストリームから、分離手段によりユーザによつて選択されたチヤンネルの番組データを分離する分離ステツプと、
商用電源が供給されているか否かを商用電源検出手段により検出する検出ステツプと、
上記検出ステツプによつて上記商用電源の投入開始が検出された場合、ユーザにより既に入力されている視聴者の識別番号を制御手段によりリセツトするリセツトステツプと、
上記リセツトステツプによつて上記識別番号をリセツトした後、上記ユーザからの入力情報に応じて上記識別番号及び上記番組データに対する選択結果情報を送信するか否かを設定手段により設定する設定ステツプと、
上記設定ステツプにより上記選択結果情報を送信するよう設定されている場合、上記分離手段によつて分離された上記番組データに対する上記選択結果情報を記憶手段により所定の取得タイミングでメモリに記憶する記憶ステツプと、
上記設定ステツプにより上記選択結果情報を送信するよう設定されている場合、上記識別番号と、複数の上記取得タイミングごとに記憶された複数の上記選択結果情報とからなる選択履歴情報を送信手段により所定の送信タイミングで自動的に通知先へ送信する送信ステツプと
を具えることを特徴とする番組選択履歴情報取得送信方法。
【発明の詳細な説明】
【０００１】
【目次】
以下の順序で本発明を説明する。
【０００２】
発明の属する技術分野
従来の技術
発明が解決しようとする課題
課題を解決するための手段
発明の実施の形態
（１）視聴率調査システムの全体構成（図１）
（２）受信装置の構成（図２〜図５）
（３）実施の形態の動作及び効果
（４）他の実施の形態
発明の効果
【０００３】
【発明の属する技術分野】
本発明は番組選択履歴情報取得装置及びその方法に関し、例えば衛生放送におけるテレビジヨン番組の視聴率データを記憶して送信する番組選択履歴情報取得装置及びその方法に適用して好適なものである。
【０００４】
【従来の技術】
従来、放送局から放映されているテレビ番組の視聴率は、特定の視聴率調査システムによつて例えば約５００〜６００世帯のサンプル数を基に調査されている。視聴率調査システムは、視聴者のテレビジヨン受信器に取り付けられた特定の記憶装置によつて所定の時間間隔ごとにチヤンネルナンバ情報と選択された時刻を表す時刻情報とからなる視聴率データを記憶し、当該視聴率データを個々の記憶装置ごとに所定の集計センタに転送することにより集計する。そして集計センタは、このようにして集計した視聴率データを基に番組ごとの視聴率結果を算出し、これを放送事業者や番組制作会社に通知する。
【０００５】
放送事業者は、番組ごとの視聴率結果を基に番組の継続や打ち切りを考慮すると共に、番組の合間にコマーシヤルを放送しているスポンサー会社に対して視聴率結果を報告することにより、スポンサー契約の続行や、当該視聴率結果を基に新たにコマーシヤルを放送するスポンサー会社の発掘を行う。また番組制作会社においては、視聴率結果を基に番組の人気の度合いを判断し、次に制作する新たな番組の内容を検討する。
【０００６】
このように放送事業者や番組制作会社にとつては、視聴率結果が大変重要な要因となつており、この視聴率結果が極力多くの視聴者の視聴率データを基に算出されることが望まれている。
【０００７】
例えば、近年においては通信衛星を用いた衛星放送が実現化されており、このような衛星放送によつてデイジタル化されたテレビジヨン信号を受信するものとしてＩＲＤ（Integrated Receiver Decoder ）と呼ばれる受信装置がある。このＩＲＤは、放送局から所定の画像圧縮方法によつて符号化されて放送される多数の番組を通信衛星を介して選択的に受信し得るようになされており、ユーザによつて選択された番組を内部のデコーダを介して復号することによりモニタに表示するようになされている。
【０００８】
【発明が解決しようとする課題】
ところでかかる構成のＩＲＤにおいては、ＩＲＤ本体に取り付けられた特定の記憶装置によつて視聴率データを記憶し、視聴率の集計センタからの転送要求に応じて視聴率データを送信していた。このため集計センタは、特定の記憶装置が取り付けられたＩＲＤがユーザ間で譲渡された場合に、譲渡された側のユーザの視聴率データを勝手に集計してしまうことになり、ユーザのプライバシーを侵害してしまうという問題があつた。
【０００９】
本発明は以上の点を考慮してなされたもので、ユーザの意思に基づいて選択履歴情報を記憶して送信する番組選択履歴情報取得装置及びその方法を提案しようとするものである。
【００１０】
【課題を解決するための手段】
かかる課題を解決するため本発明においては、電源供給手段によつて供給される商用電源を基に動作し、複数チヤンネルの番組の中から選択された番組の選択履歴情報を取得する番組選択履歴情報取得装置において、商用電源が供給されているか否かを検出する商用電源検出手段と、商用電源検出手段によつて商用電源の投入開始が検出された場合、ユーザにより既に入力されている視聴者の識別番号をリセツトする制御手段と、制御手段によつて識別番号をリセツトした後、ユーザからの入力情報に応じて識別番号及び番組に対する選択結果情報を送信するか否かを設定する設定手段と、設定手段により選択結果情報を送信するよう設定されている場合、選択結果情報を所定の取得タイミングでメモリに記憶する記憶手段と、設定手段により選択結果情報を送信するよう設定されている場合、識別番号と、複数の取得タイミングごとに記憶された複数の選択結果情報とからなる選択履歴情報を所定の送信タイミングで自動的に通知先へ送信する送信手段とを設けるようにする。
これにより、商用電源の投入開始を検出したとき、ユーザにより既に入力されている視聴者の識別番号を通知先へ送信する設定を一度リセツトし、改めて識別番号及び選択結果情報を通知的へ送信するよう設定した場合にのみ、選択履歴情報を送信することになるので、商用電源の投入開始時にユーザの意思に反して勝手に選択履歴情報が送信されてしまうことを未然に防止することができる。
【００１１】
また本発明においては、複数チヤンネル分のトランスポートストリームが多重化されて送信されるデータストリームを受信する受信手段と、受信手段によつて受信されたデータストリームから、ユーザによつて選択されたチヤンネルの番組データを分離する分離手段と、商用電源が供給されているか否かを検出する商用電源検出手段と、商用電源検出手段によつて商用電源の投入開始が検出された場合、ユーザにより既に入力されている視聴者の識別番号をリセツトする制御手段と、制御手段によつて識別番号をリセツトした後、ユーザからの入力情報に応じて識別番号及び番組データに対する選択結果情報を送信するか否かを設定する設定手段と、設定手段により選択結果情報を送信するよう設定されている場合、分離手段によつて分離された番組データに対する選択結果情報を所定の取得タイミングでメモリに記憶する記憶手段と、設定手段により選択結果情報を送信するよう設定されている場合、識別番号と、複数の取得タイミングごとに記憶された複数の選択結果情報とからなる選択履歴情報を所定の送信タイミングで自動的に通知先へ送信する送信手段とを設けるようにする。
これにより受信装置では、商用電源の投入開始を検出したとき、ユーザにより既に入力されている視聴者の識別番号を通知先へ送信する設定を一度リセツトし、改めて識別番号及び選択結果情報を通知的へ送信するよう設定した場合にのみ、選択履歴情報を送信することになるので、商用電源の投入開始時にユーザの意思に反して勝手に選択履歴情報が送信されてしまうことを未然に防止することができる。
【００１２】
【発明の実施の形態】
以下図面について、本発明の一実施の形態を詳述する。
【００１３】
（１）視聴率調査システムの全体構成
図１において１は全体として視聴率調査システムを示し、放送事業者（放送局）２は、映像データ及び音声データをＭＰＥＧ２等の所定の符号化方式でそれぞれ圧縮符号化してパケツト化することによりトランスポートストリームを生成する。続いて放送事業者２は、生成した複数チヤンネル分のトランスポートストリームをパケツト多重化し、これにより得られる多重化ビツトストリームを所定の変調方式で変調処理した後、これを送信データＤ１として例えば１０[GHz] の周波数帯で通信衛星３に送信する。
【００１４】
通信衛星３は、送信されてきた送信データＤ１を受信し、当該送信データＤ１をトランスポンダ（図示せず）によつて所定レベルに増幅すると共に、例えば１[GHz] の周波数帯に周波数変換することにより送信データＤ２を生成し、これを地上の各ユーザ宅４Ａ〜４Ｚに送信する。
【００１５】
例えばユーザ宅４Ａに設けられたアンテナ６Ａは、送信データＤ２を受信し、これを復調処理することにより得られる受信データストリームＤ３を受信装置（ＩＲＤ）５に送信する。ＩＲＤ５は、受信データストリームＤ３を多重分離及び復号することにより番組の映像データ及び音声データを復元し、モニタ（図示せず）を介して映像を表示すると共にスピーカ（図示せず）を介して音声を出力する。
【００１６】
このときＩＲＤ５は、ユーザによつて選択されて試聴された番組の選択履歴情報としての視聴率データを内部メモリに記憶し、１日分の視聴率データＤ４が蓄積されると、所定の時間帯に公衆電話回線網７を経由して視聴率の集計センタ８に１日分の視聴率データＤ４を毎日自動的に送信するようになされている。ここで視聴率データＤ４とは、ユーザが試聴した番組の時刻情報（ｔ１）及びチヤンネルナンバ（ＣＨNO）である。
【００１７】
集計センタ８は、送られてきたサンプル世帯数（この実施の形態の場合 15000世帯）全ての１日分の視聴率データＤ４を基に番組ごとの視聴率結果を算出し、この視聴率結果データＤ５を速やかに放送事業者（放送局）２に通知する。
【００１８】
（２）受信装置の構成
図２に示すように、本発明による番組選択履歴情報取得装置を有する受信装置（ＩＲＤ）５は、まずプラグを介してＡＣコンセント（図示せず）に接続された電源回路１０よつて電源が供給されてＣＰＵ(Central Processing Unit) ２２が立ち上げられると、当該ＣＰＵ２２がユーザのリモコン２７による操作に応じた処理を実行するようになされている。
【００１９】
このＣＰＵ２２は、ユーザのリモコン２７から出力されたチヤンネルナンバを表すリモコン信号Ｓ１をリモコン信号受光部２８によつて受光し、これをリモコン信号Ｓ２として入力する。ＣＰＵ２２は、入力したリモコン信号Ｓ２に応じたチヤンネル選択信号Ｓ３を生成し、これをフロントエンド部１１に供給する。
【００２０】
フロントエンド部１１は、アンテナ６を介して受信した受信データストリームＤ３を入力し、通信衛星３のトランスポンダ（図示せず）から送信されている受信データストリームＤ３のうちチヤンネル選択信号Ｓ３に相当する番組の受信データストリームＤ３のみをデマルチプレクサ１２に送出する。
【００２１】
デマルチプレクサ１２は、バツフアメモリ１３に受信データストリームＤ３を一旦格納した後、カードインターフエース（ＩＦ）２０を介して接続されたＩＣカード２１に記憶されている契約チヤンネルの暗号キー情報を読み出し、当該暗号キー情報と、選択したチヤンネルナンバの番組の暗号キー情報とが一致した場合に、バツフアメモリ１３に格納された受信データストリームＤ３を、ＣＰＵ２２の内部で発生するクロツク信号に基づいて複数のパケツトデータに分離する。
【００２２】
そしてデマルチプレクサ１２は、チヤンネル選択信号Ｓ３に応じたチヤンネルナンバの番組のパケツトデータだけを取り出し、そのうちの映像データ部分からなるパケツトデータＤ１０をＭＰＥＧ２ビデオデコーダ１４に供給すると共に、音声データ部分からなるパケツトデータＤ１１をＭＰＥＧオーデイオデコーダ１５に供給する。
【００２３】
因みに、ＩＣカード２１には暗号キー情報以外にもユーザが試聴した番組の試聴時間に応じた課金情報が蓄積されており、集計センタ８からの転送要求に応じて当該課金情報がＣＰＵ２２によつて読み出され、モデム２６及び公衆電話回線網７を介して集計センタ８へ送信されるようになされている。
【００２４】
ＭＰＥＧ２ビデオデコーダ１４は、映像データ部分からなる複数のパケツトデータＤ１０を一旦メモリ１６に格納した後、ＣＰＵ２２の内部で発生するクロツク信号に基づいてＭＰＥＧ２方式によつて復号することにより、圧縮符号化前の映像データＤ１２に変換し、これをＮＴＳＣ(National Television System Commitee) 変換部１８に送出する。
【００２５】
ＮＴＳＣ変換部１８は、映像データＤ１２を輝度（Ｙ）信号、色（Ｃ）信号及びコンポジツト信号からなるビデオ信号に変換してモニタ（図示せず）に出力することにより、当該モニタの画面に選択したチヤンネルナンバの番組を表示する。
【００２６】
ＭＰＥＧオーデイオデコーダ１５は、音声データ部分からなる複数のパケツトデータＤ１１を一旦メモリ１７に格納した後、ＭＰＥＧ２ビデオデコーダ１４と同様にＣＰＵ２２の内部で発生するクロツク信号に基づいてＭＰＥＧ方式によつて復号することにより、圧縮符号化前の音声データＤ１３に変換し、これをデイジタル／アナログ変換部１９に送出する。
【００２７】
デイジタル／アナログ変換部１９は、音声データＤ１３に対してデイジタル／アナログ変換処理を施すことにより、アナログのＬ（左）音声信号とＲ（右）音声信号を生成し、これをスピーカ（図示せず）を介してステレオ音声として出力する。
【００２８】
またＣＰＵ２２は、ＲＡＭ(Ramdom Access Memory)２３、フラツシユメモリ２４及びＥＥＰＲＯＭ(Electrically Erasable Programmable Read Only Memory) ２５に接続されており、ＲＡＭ２３をワークエリアとして用いることにより各種処理を実行すると共に、ＲＡＭ２３の一部の領域を使用してユーザが試聴した一日分の視聴率データＤ４を格納し得るようになされている。ここで、ＲＡＭ２３に視聴率データＤ４を格納する領域は、余裕を持たせて２日分以上の視聴率データＤ４を格納し得るだけの容量を有している。
【００２９】
フラツシユメモリ２４は、後述する初期設定画面や識別番号入力画面を表示したり、メニユ画面に基づいてユーザが選択入力したコマンドに応じた処理をＣＰＵ２２によつて行うためのプログラム情報が書き込まれた不揮発性メモリでなり、通信衛星３から新たなプログラム情報を受信した場合にはプログラム内容を書換えられるようになされている。
【００３０】
ＥＥＰＲＯＭ２５も不揮発性メモリでなり、ＩＲＤ５の電源をオフ状態にした場合の最終的なチヤンネルナンバ情報やそのときの音量（ボリユーム）状態を記憶しておくようになされており、ＣＰＵ２２は電源が再度オン状態になつたときに、ＥＥＰＲＯＭ２５に記憶されたデータ内容を読み出すことにより、電源がオフ状態になつたときと同じチヤンネルナンバ及び音量状態に再設定し得るようになされている。
【００３１】
ここでＩＲＤ５においては、購入された後に初めてプラグがＡＣコンセントに差し込まれると電源回路１０が立ち上げられ、当該電源回路１０によつて電源が供給されると、ＣＰＵ２２はまずフラツシユメモリ２４に格納されたプログラム情報を読み出すことにより、モニタの画面に図３に示すような初期設定画面５１を表示する。ユーザは、視聴率申込みを行う意思がある場合には、集計センタ８から予め指定されている５桁のパスワードを初期設定画面５１のパスワード入力欄５２に入力する。
【００３２】
この場合ＣＰＵ２２は、パスワード入力欄５２に集計センタ８から指定された５桁のパスワードが入力されたことを認識すると、次にモニタの画面に図４に示すような認識番号入力画面５３を表示する。ユーザは、認識番号入力画面５３の電話番号入力欄５４に公衆電話回線網７に接続された自宅の電話番号を市街局番から入力し、最終的に視聴率申込みを確認する「はい」のアイコン５５または「いいえ」のアイコン５６のどちらかを選択する。
【００３３】
ＣＰＵ２２は、ユーザによつて「いいえ」のアイコン５６が選択された場合には視聴率申込みの意思がないものとして処理を中止するが、「はい」のアイコン５５が選択された場合には入力された電話番号を視聴率申込みのユーザ識別番号とし、これをモデム２６及び公衆電話回線網７を介して集計センタ８に送信する。集計センタ８では送られてきたユーザ識別番号を登録することにより、ＩＲＤ５においてユーザが試聴した一日分の視聴率データＤ４を記憶して集計センタ８に自動的に送信する設定の登録が完了する。
【００３４】
これにより集計センタ８は、ＩＲＤ５からユーザ識別番号と一緒に送信されてきた視聴率データＤ４と、視聴率申込み時に登録したユーザ識別番号とが一致した場合に、その視聴率データＤ４を受け取り、一致しなかつた場合にはその視聴率データＤ４を受け付けないようになされている。
【００３５】
この場合ＩＲＤ５は、リモコン２７によつて送信されてきたリモコン信号Ｓ１をリモコン信号受光部２８を介して受光し、ＣＰＵ２２がリモコン信号受光部２８を介して送られてくるリモコン信号Ｓ２に基づいてフロントエンド部１１及びデマルチプレクサ１２の処理を制御していることにより、ユーザが試聴している番組のチヤンネルナンバ情報及び選択された時刻を表す時刻情報を常時認識している。
【００３６】
従つてＣＰＵ２２は、リモコン２７の操作によつて電源の供給がオン状態になつたときのチヤンネルナンバ情報及びその時の時刻情報、及び電源の供給がオフ状態になつたときのチヤンネルナンバ情報及びその時の時刻情報、並びに試聴している番組が変更された時点のチヤンネルナンバ情報及びその時の時刻情報を視聴率データＤ４としてＲＡＭ２３の一部の領域に格納する。
【００３７】
従つて、チヤンネルナンバが一度も変更されなければ電源のオンオフ時の時刻情報と１種類のチヤンネルナンバ情報だけが視聴率データＤ４として格納される。すなわちＣＰＵ２２は、電源のオンオフ時以外はチヤンネルナンバが変更された変化点を表す選択タイミングにおけるチヤンネルナンバ情報及びその時の時刻情報のみを試聴率データとしてＲＡＭ２３に格納することにより、記憶するデータ量を低減させるようになされている。
【００３８】
さらにＣＰＵ２２は、リモコン２７及びリモコン信号受光部２８から送信されてくるリモコン信号Ｓ２に応じてチヤンネルナンバ情報と録画開始及び終了時刻からなるビデオ予約情報をＲＡＭ２３に登録することにより、当該録画開始時刻になるとビデオインターフエース３０を介して接続されたＶＴＲ(Video Tape Recoder)２９を制御してＮＴＳＣ変換部１８及びデイジタルアナログ変換部１９から供給されるビデオ信号及び音声信号を記録するようになされている。
【００３９】
この場合ＣＰＵ２２は、タイマー録画されているチヤンネルナンバ情報の他に録画開始及び終了時刻情報を付加情報として付加した視聴率データＤ４としてＲＡＭ２３に格納して集計センタ８に送信することにより、当該集計センタ８ではこの視聴率データＤ４が単に１回だけ試聴されただけデータか、あるいはビデオテープに録画されたことにより何回か反復して試聴される可能性があるデータかを判別し得る高精度な視聴率データＤ４として集計することができる。
【００４０】
ここで視聴率データＤ４は、図５に示すようにヘツダ部分６１とデータ部分６２とに分かれ、ヘツダ部分６１はユーザの電話番号を４０ビツトで表す識別番号情報領域６３と、記憶された視聴率データＤ４の年月日を１６ビツトで表す日時情報領域６４と、記憶された視聴率データＤ４のサンプル数（すなわち電源供給のオンオフ時及び番組を変更する度に得られる視聴率データＤ４の個数）を１６ビツトで表すサンプル情報領域６５によつて構成されている。またデータ部分６２は、電源の供給をオン及び又はオフしたときのチヤンネルナンバ情報とその時の時刻情報、及びユーザが所望の番組を試聴するために変更したチヤンネルナンバ情報とその時の時刻情報とを４０ビツトで表している。
【００４１】
ＣＰＵ２２は、このようなデータ構造の選択情報を一日分（例えば前日のPM23:00:00〜当日のPM22:59:59）蓄積してＲＡＭ２３に格納した後、当日のPM23:00:00〜翌朝のAM07:00:00の間に、一日分の複数の選択情報からなる選択履歴情報としての視聴率データＤ４をモデム２６及び公衆電話回線網７を介してフリーダイアルで自動的に送信するようになされている。この場合ＣＰＵ２２は、視聴率データＤ４を回線の空いているPM23:00:00〜翌朝のAM07:00:00の間に送信するようにしたことにより、回線の混雑を回避することができる。
【００４２】
ここでＣＰＵ２２は、内部に乱数発生部２２Ａを有しており、当該乱数発生部２２Ａによつて 15000世帯分のＩＲＤ５Ａ〜５Ｚ全てに固有の乱数を発生し、当該乱数に応じた１分間の送信時間帯を各ユーザの電話番号（識別番号）に割り当てることにより、視聴率データＤ４をPM23:00:00〜AM07:00:00の間に送信する際に 15000世帯数分の呼が重なることなく効率良く送信し得るようになされている。
【００４３】
この場合、 15000世帯分のＩＲＤ５Ａ〜５Ｚは個別に割り当てられた１分間の送信時間帯で視聴率データＤ４を送信することにより、集計センタ８では所有する５０回線によつて５時間で 15000世帯分の視聴率データＤ４を全て収集することができる。これにより集計センタ８は、課金情報の収集のようにデータの転送要求を個別に送信することなく、 15000世帯数分の視聴率データＤ４を確実かつ容易に集計することができ、当該 15000世帯数分の視聴率データＤ４を基に一日分の視聴率結果データＤ５を算出し、これを放送事業者２に速やかに通知することができる。
【００４４】
ところでＩＲＤ５においては、電源回路１０の内部に停電検出回路１０Ａを有しており、当該停電検出回路１０Ａによつて停電（すなわち電源回路１０によつて電源が供給されなくなつたこと）を検出し、その後電源回路１０によつて電源が供給されるようになつたことを検出すると、ＣＰＵ２２は一度設定登録された視聴率申込みをリセツト状態にして初期設定画面５１（図３）を再度表示するようになされている。
【００４５】
すなわちＩＲＤ５は、ユーザ間で本体の譲渡があつた場合には必ずプラグがＡＣコンセントから外されるので、この場合にＣＰＵ２２は電源が供給されなくなつたことを検出し、その後プラグがＡＣコンセントに差し込まれて電源回路１０によつて電源が供給されるようになると、初期設定画面５１を再度モニタに表示する。
【００４６】
これにより、ＩＲＤ５本体を譲渡されたユーザは初期設定画面５１を見て視聴率申込みのパスワードを入力するか否かを判断する。このとき譲渡された側のユーザは視聴率申込みを行う意思がある場合に、集計センタ８から指定された５桁のパスワードを入力し、次に表示される識別番号表示画面５３（図４）の識別番号入力欄５４に自身の電話番号を入力する。このときＩＲＤ５は、譲渡されたユーザの視聴率申込みがあつたことを初めて認識し、視聴率データＤ４を記憶して自動的に送信する設定登録を改めて行うようになされている。
【００４７】
これにより集計センタ８では、譲渡されたユーザの識別番号が付加された視聴率データＤ４がＩＲＤ５から送信されてくると、登録された識別番号と視聴率データＤ４に付与された識別番号とを比較し、識別番号が一致したときにその視聴率データＤ４を受け取り、識別番号が一致しなかつたときには、その視聴率データＤ４を受け取らないことにより、視聴率申込みを行つたユーザの視聴率データＤ４のみを集計するようになされている。
【００４８】
（３）実施の形態の動作及び効果
以上の構成において、ＩＲＤ５は一旦ユーザによる視聴率申込みを受け付け、視聴率データＤ４を記憶して自動的に送信し得る状態に設定した後、電源回路１０によつて電源が供給されなくなり、再度電源が供給されるようになつたことを検出した場合には、再度ユーザによる視聴率申込み登録がなされるまでは視聴率データＤ４を記憶して自動的に送信し得る設定の登録を行わないようにしたことにより、ユーザの意思に反して勝手に視聴率データＤ４を記憶して送信することを防止できる。
【００４９】
これによりＩＲＤ５は、常にユーザによる視聴率申込みを受け付けた場合に限つて視聴率データＤ４の集計許可があつたものと認識し、この視聴率申込みを受け付けたときから視聴率データＤ４を記憶及び送信するようにしたことにより、ユーザの意思に基づいて視聴率データＤ４を記憶して送信することができる。
【００５０】
以上の構成によれば、ＩＲＤ５は停電検出回路１０Ａにより電源の投入開始が検出された後、視聴率データＤ４を記憶して送信する設定の登録が行われた場合に限つて、ＣＰＵ２２が視聴率データＤ４をＲＡＭ２３に記憶してモデム２６を介して送信することにより、ユーザ間で本体の譲渡があつた場合で譲渡された側のユーザによつて改めて視聴率申込みの登録がなさた場合に限つて視聴率データＤ４を記憶して送信することができる。これによりＩＲＤ５は、ユーザの視聴率データＤ４が集計されることの許可を確実に得てから視聴率データＤ４を記憶して送信することになるのでユーザのプライバシーを完全に保護することができる。
【００５１】
（４）他の実施の形態
なお上述の実施の形態においては、ＩＲＤ５の内部に設けられたＲＡＭ２３の一部の領域を用いて視聴率データＤ４を記憶するようにした場合について述べたが、本発明はこれに限らず、視聴率データＤ４だけを記憶するメモリを個別に設け、そこに視聴率データＤ４を記憶するようにしても良い。
【００５２】
また上述の実施の形態においては、一度初期設定画面５１及び識別番号入力画面５３を用いて視聴率申込みの設定を行つた後、電源の供給がオフ状態になつた後にオン状態に戻つた場合に初期設定画面５１及び識別番号入力画面５３を再度表示してユーザに視聴率申込みの設定を行わせるようにした場合について述べたが、本発明はこれに限らず、識別番号入力画面５３だけを再度表示して視聴率申込みの設定を行わせるようにする等、要は自動的に視聴率データＤ４を記憶及び送信する設定に戻すのでなくユーザの意思に基づいて再度設定させるのであれば他の種々の方法によつて設定するようにしても良い。
【００５３】
さらに上述の実施の形態においては、本発明の番組選択履歴情報取得装置をＩＲＤ５の内部に設けるようにした場合について述べたが、本発明はこれに限らず、外部に設けてＩＲＤ５と接続して用いるようにしても良い。
【００５４】
さらに上述の実施の形態においては、本発明の番組選択履歴情報取得装置を記憶手段としてのＲＡＭ２３及びＣＰＵ２２、送信手段としてのモデム２６及びＣＰＵ２２、電源検出手段としての停電検出回路１０Ａ、制御手段としてのＣＰＵ２２によつて構成するようにした場合について述べたが、本発明はこれに限らず、他の種々の記憶手段、送信手段、電源検出手段及び制御手段によつて構成するようにしても良い。
【００５５】
さらに上述の実施の形態においては、本発明の番組選択履歴情報取得装置を視聴率データＤ４を記憶して自動的に送信するデイジタル衛星放送用の受信装置（ＩＲＤ）５に適用するようにした場合について述べたが、本発明はこれに限らず、通常の地上波放送のテレビジヨン受信装置やケーブルテレビジヨンのテレビジヨン受信装置、あるいは音声情報や文字情報を受信するラジオ受信装置に適用するようにしても良い。
【００５６】
【発明の効果】
上述のように本発明によれば、商用電源の投入開始を検出したとき、ユーザにより既に入力されている視聴者の識別番号を通知先へ送信する設定を一度リセツトし、改めて識別番号及び選択結果情報を通知的へ送信するよう設定した場合にのみ、選択履歴情報を送信することになるので、商用電源の投入開始時にユーザの意思に反して勝手に選択履歴情報が送信されてしまうことを未然に防止することにより、ユーザの意思に反して選択履歴情報を記憶して送信してしまうことがないのでプライバシーを保護することができ、かくしてユーザの意思に基づいて選択履歴情報を記憶して送信し得る番組選択履歴情報取得装置、受信装置、番組選択履歴情報取得方法及び番組選択履歴情報取得送信方法を実現することができる。
【図面の簡単な説明】
【図１】本発明の一実施の形態における視聴率調査システムの構成を示すブロツク図である。
【図２】本発明の一実施の形態におけるＩＲＤの構成を示すブロツク図である。
【図３】本発明の一実施の形態における初期設定画面を示す略線図である。
【図４】本発明の一実施の形態における識別番号入力画面を示す略線図である。
【図５】本発明の一実施の形態における視聴率データのデータ構造を示す略線図である。
【符号の説明】
１……視聴率調査システム、２……放送事業者、３……通信衛星、５……ＩＲＤ、７……公衆電話網、８……集計センタ、１０……電源回路、１１……フロントエンド部、１２……デマルチメレクサ、２２……ＣＰＵ、２３……ＲＡＭ、２６……モデム、２７……リモコン、２８……リモコン信号受光部。
【図１】
0004038744.tif 000002
【図２】
0004038744.tif 000003
【図３】
0004038744.tif 000004
【図４】
0004038744.tif 000005
【図５】
0004038744.tif 000006